(57)【特許請求の範囲】
【請求項１】
差し替え式ドライバーの柄（え）に設けられた挿入口に使用したいドライバービット（専［もっぱ］ら電気ドリル用に市販されているもの）を差し替えて使用するタイプのドライバーの柄であって、ドライバービットの断面形状は六角であり、柄に設けられた挿入口は入り口から途中までの穴の断面形状と途中から奥までの形状が異なり、次の説明のように形成されている、１枚目の図に六角形を描く、２枚目はトレーシングペーパーに同じ大きさの六角形の図を描く、２枚目を１枚目の六角形の上に重ね、３０度回転させる、この両方の図形の外周線だけを残すと円に内接する三角形の頂点が１２ケある図形になる（星形１２角形）、この断面の差し込み穴の筒を手前に取り付ける、この先の差し込み穴の筒は断面が六角形のものにする。手前の挿入穴（筒で形成する）の１２ケの三角形の一つおきの頂点と奥の六角形の６ケの頂点を合致させて、手前の筒と奥の筒をつなぐ、この形状なら、手前の１２ケの一つ置きの頂点と奥の６ケの頂点が合致する、頂点が合致した所へ６角棒を差し込めば奥まで入るが、３０度回転させたもう一つ置きの方の頂点に６角棒を差し込んだ場合、奥の六角形穴のそれぞれの辺の真ん中に二等辺三角形の壁が外に向かって６ケあり、これにぶつかり、ここで止まる、途中までの装着形態と、最奥までの装着形態を選択できることで差し込み時のドライバー全長を長短２種類に使い分け可能とされたことを特徴とする長さ可変ドライバー
【請求項２】
差し替え式ドライバーの柄（え）に設けられた挿入口に使用したいドライバービット（専［もっぱ］ら電気ドリル用に市販されているもの）を差し替えて使用するタイプのドライバーの柄であって、ドライバービットの断面形状は四角であり、柄に設けられた挿入口は、四角ビットに合致するくり抜き形状と、当該くり抜き形状を３０度ずつ前後に回転させた二つの形状との、都合三つを重ね合わせた星型１２角形のくり抜き部を挿入口から深さ１／３までの位置までくりぬくと共に、１／３から２／３までの領域は３つのうち２つのくりぬき形状とし、２／３から最奥までは１つのくり抜き形状とし、１／３までの装着形態と２／３までの装着形態と、最奥までの装着形態の３つの形態を選択できることで差し込み時のドライバー全長を長中短３種類に使い分け可能とされたことを特徴とする長さ可変ドライバー。
【請求項３】
外形が六角のパイプの中に、ドライバービットを長短２段階に使い分けできるように手前約１／３の長さ分が星形１２角で、奥約２／３の長さ分が６角のホルダーを成形する。更に外形が６角のパイプを用意する。このパイプの中にビット用ホルダーの奥側約１／２を差し込み、固定する。この六角部分を差し込めるホルダーも成形する。このホルダーも長短２段階に使い分けできるように、手前１／３の長さ分が星形１２角で、奥約２／３の長さ分が６角のホルダーを成形する。つまり長短２段階の長さに変更可能なホルダーが２組できる。これによりドライバー軸と柄を連結した全長が４段階の長さを選択できる長さ可変ドライバー。
【発明の詳細な説明】
【０００１】
【発明の属する技術分野】
本発明は長さが可変するドライバー
【従来の技術】
従来のドライバーで、ドライバーの柄にビットを差し替えるタイプのものでは、ビットを長いものや、短いものに取り替えれば、１本の柄で長いドライバーと短いドライバーにする事ができたが、１本の柄と１本のビットだけでは、長さの違うドライバーとしては使えなかった。ドライバー以外の請求項についても、一旦、抜き取ってから差しなおす方法で、長さを可変できるものは無かった。
【０００３】
【発明が解決しようとする課題】
ドライバーの１本の柄と１本のビットだけの組み合わせで、長さの違うドライバーとして使えるようにする。また、ビットに近い長さの、外形が６角で内側にビットが挿入できるようにしたパイプ形状の金属ホルダーとの組み合わせで、４段階の長さで使い分けできるドライバーにする。ドライバー以外の請求項についても、一旦、抜き取ってから差しなおす方法で、長さを可変できるようにする。
以下、原理は同じなので、ドライバー以外については一部省略する。
【０００４】
【課題を解決するための手段】
６角ボルトを締めたり、緩めたりするのに使うソケットは６角のものと、１２角のものがある。ビット挿入用穴ホルダーをこのソケットと同じものでつくる。ドライバーの柄にビット挿入用穴ホルダーを柄の端部（ドライバー軸から遠い方）近くまで埋め込む。
【０００５】
手前半分位を１２角（ソケットと同じ形状）にし、奥半分位を６角にする。奥の６角部分は、手前の１２角のうちの６角部分とピッタリ合うようにつなぐ。
【０００６】
四角形ビット用のビット挿入用穴ホルダーは四角形を中心から３０°ずつ回転させた図形を描くと１２角のソケットと同じようになる（角の角度は違うが）ので同じようにソケットをつくる。ドライバーの柄にビット挿入用穴ホルダーを柄の端部（ドライバー軸から遠い方）近くまで埋め込む。
【０００７】
四角形ビットを差し込むと３０°ずつずれるので、３通りの位置での差し込み方ができる。手前１／３位は１２角（ソケットと同じ形状）にし、１通り目の差し込みだけは、手前、１／３位で止まるような形にする。２通り目の差し込みは手前２／３位で止まるような形にする。３通り目の差し込みは奥まで差し込めるようにする。
【０００８】
【発明の実施の形態】
６角形ビット挿入用穴ホルダーに６角形ビットを最初に差し込んだあと、抜き取って１コマずらした位置で差し込む場合、どちらかが、手前１／２位の所で止まり、もう一方が奥まで差し込める。
【０００９】
４角形ビット挿入用穴ホルダーに４角形ビットを最初に差し込んだとき手前１／３で止まったとすると、抜き取って１コマずらした位置で差し込むと手前２／３位で止まる。抜き取って、もう１コマずらした位置にすると奥まで差し込める。つまり、差し込む位置によって、３種類の長さの差し込み方法が可能になる。
【００１０】
抜け止めには、ビットの角が当たるビット挿入用穴ホルダーのところに、穴を明け、ボールベアリングをはめ込む。ビット挿入用穴ホルダーの内側はボールベアリングが抜け落ちず、少しはみ出る程度の穴加工にする。ボールベアリングの外側はボールベアリングの直径より少し小さい穴の開いた帯鋼のリングで押さえる。帯鋼のバネ効果でビットが抜けないように保持できる。
【００１１】
【発明の効果】
６角形ビットの場合は、ビット挿入用穴の、どれかの位置に差し込んで、奥の方まで差し込めたとすると、ビットを一旦抜き取って、１コマずらした位置で差し込むと、手前約１／２のところで止まる。ビットの差し込み穴を選択することで、長めのドライバーと短めのドライバーに使い分けできる。
【００１２】
４角形ビットの場合は、ビット挿入用穴の、どれかの位置に差し込んで、手前１／３まで差し込めたとすると、ビットを一旦抜き取って、１コマずらした位置で差しこむと、手前２／３位で止まる。もう１回抜き取って、また１コマずらすと奥まで差し込める。ビットの差し込み穴を選択することで、長めのドライバーと中位の長さのドライバー、短めのドライバーに使い分けできる。
【００１３】
６角ホルダーを取り付けるタイプのものは、ドライバーの柄の６角のホルダー用挿入穴の１２角穴に６角ホルダーを６角穴まで届くように差し込み、６角ホルダーの１２角穴に、６角ビットを６角穴まで届くように差し込むと、全長の短いドライバーになる。逆に６角のホルダー用挿入穴の６角穴の所で、止まる位置に６角ホルダーを差し込み、６角ホルダーの６角穴の所で、止まる位置にビットを差し込むと全長の長いドライバーになる。また、６角穴の片方は長くなる差し込み方、もう一方は短くなる差し込みにすると、全長が中位のドライバーになる。
【図面の簡単な説明】
【図１】６角ビット用の１２角のビット挿入口の平面図である。
（図３）のＡ断面を下方に向かって見た平面図である。
【図２】６角ビット用の６角のビット挿入口の平面図である。
（図３）のＢ断面を下方に向かって見た平面図である。
【図３】６角ビット用のホルダーの断面図である。
【図４】４角ビット用の１２角のビット挿入口の平面図である。
（図７）のＡ断面を下方に向かって見た平面図である。
【図５】４角ビット用の１２角のビット挿入口の平面図である。
（図７）のＢ断面を下方に向かって見た平面図である。
【図６】４角ビット用の１２角のビット挿入口の平面図である。
（図７）のＣ断面を下方に向かって見た平面図である。
【図７】四角ビット用ホルダーの断面図である。
【図１】
0004569733.tif 000002
【図２】
0004569733.tif 000003
【図３】
0004569733.tif 000004
【図４】
0004569733.tif 000005
【図５】
0004569733.tif 000006
【図６】
0004569733.tif 000007
【図７】
0004569733.tif 000008